(57)【要約】【課題】出力画像全体が表示できる大型液晶表示装置や外部モニター等の大型の表示装置を用いることなく、画像全体のうちから所望の領域を選択してトリミング印刷を行う。【解決手段】データ取得部４から取り込まれた画像データである第１の電子データ及び記録用紙サイズに基づいた座標データを表示する第２の電子データを合成した第３の電子データを生成し、且つ、印刷部１等を制御して第３の電子データの印刷を行う制御部３と、通常印刷時に印刷枚数を表示するセグメントＬＣＤ５４、及び、カーソルキー５３１〜５３４を有するパネル部５と、を備え、パネル部５のカーソルキー５３１〜５３４を介して受け付けた座標指定データに基づく指定領域に該当する第１の電子データの一部の領域を拡大して第４の電子データを生成し、印刷する。【選択図】図７
2006062321.tif 000002
【特許請求の範囲】
【請求項１】
印刷を行う印刷手段と、
着脱自在な記録媒体から画像データを取得するデータ取得部と、
前記データ取得部より取り込まれた画像データである第１の電子データと、記録用紙サイズに基づいた座標データを表示する第２の電子データと、を合成した第３の電子データを生成し、前記印刷手段を制御して前記第３の電子データの印刷を行う制御部と、
通常印刷時に印刷枚数を表示する文字表示器又は印刷モードを表示するインジケータ、及び、入力キーを有するパネル部と、を備え、
前記制御部は、ユーザが前記パネル部の入力キーを介して入力した座標指定データを受信して前記文字表示器又はインジケータを用いて表示し、前記座標指定データに基づいて構成される指定領域に該当する前記第１の電子データの領域を拡大した第４の電子データを生成し、前記印刷手段を制御して前記第４の電子データの印刷を行うことを特徴とするプリンタ。
【請求項２】
印刷を行う印刷手段と、
脱着自在な記録媒体から画像データを取得するデータ取得部と、
前記データ取得部より取り込まれた画像データである第１の電子データの画像の輪郭を抽出した第５の電子データを生成し、この第５の電子データと、記録用紙サイズに基づいた座標データを表示する第２の電子データと、を合成した第６の電子データを生成し、前記印刷手段を制御して印刷する制御部と、
通常印刷時に印刷枚数を表示する文字表示器又は印刷モードを表示するインジケータ、及び、入力キーを有するパネル部と、を備え、
前記制御部は、ユーザが前記パネル部の入力キーを介して入力した座標指定データを受信して前記文字表示器又はインジケータを用いて表示し、前記座標指定データ基づいて構成される指定領域に該当する前記第１の電子データの領域を拡大した第４の電子データを生成し、前記印刷手段を制御して第４の電子データを印刷することを特徴とするプリンタ。
【発明の詳細な説明】
【技術分野】
【０００１】
本発明は、画像データの一部の領域を拡大して印刷するトリミング機能を有するプリンタに関する。
【背景技術】
【０００２】
従来、デジタルカメラやカメラ付携帯電話等の電子機器の普及に伴い、それらの電子機器によってメモリカード等の記録媒体に記録された写真等の画像データを、パーソナルコンピュータ等を介さずに直接読み込んで記録用紙に印刷を行うプリンタが実用化されている。
【０００３】
また、従来のプリンタでは、画像処理機能を有しておらず、記録媒体に記録された画像データをそのまま印刷する機能しか備えておらず、画像データから切り出した部分（領域）を拡大して印刷するトリミング機能等の複雑な処理を要する機能を備えていなかった。
【０００４】
そこで、トリミング機能を実行するために近年のプリンタでは、画像データに基づく画像全体を表示できる大型液晶表示装置等の大型の表示装置を備えた構成のもの（例えば、特許文献１参照）や、プリンタに接続した外部モニター等の外部表示装置に画像データに基づく画像を表示可能にした構成のものがある。これにより、表示された画像からユーザがカーソルキー等の入力装置を用いて画像データの領域の選択入力を行うことで、選択された領域について拡大印刷を行う。
【特許文献１】特開２００３−２４４６３１公報
【発明の開示】
【発明が解決しようとする課題】
【０００５】
しかしながら、上述の特許文献１の構成では、画像データの領域を選択入力するために画像全体を表示することが可能な大型の表示装置を備える必要があり、表示装置のないプリンタに比べコストが高騰してしまう。
【０００６】
一方、外部表示装置に画像全体を表示する構成では、印刷を行う毎に外部表示装置にプリンタを接続しなければならず、ユーザに負担がかかる。また、携帯可能なプリンタの場合には、外出先で必ずしも外部表示装置に接続できるとは限らない。
【０００７】
本発明の目的は、出力画像全体が表示できる大型液晶表示装置や外部モニター等の大型の表示装置を用いることなく、画像全体のうちから所望の領域を選択してトリミング印刷が可能なプリンタを提供することにある。
【課題を解決するための手段】
【０００８】
（１）印刷を行う印刷手段と、
着脱自在な記録媒体から画像データを取得するデータ取得部と、
前記データ取得部より取り込まれた画像データである第１の電子データと、記録用紙サイズに基づいた座標データを表示する第２の電子データと、を合成した第３の電子データを生成し、前記印刷手段を制御して前記第３の電子データの印刷を行う制御部と、
通常印刷時に印刷枚数を表示する文字表示器又は印刷モードを表示するインジケータ、及び、入力キーを有するパネル部と、を備え、
前記制御部は、ユーザが前記パネル部の入力キーを介して入力した座標指定データを受信して前記文字表示器又はインジケータを用いて表示し、前記座標指定データに基づいて構成される指定領域に該当する前記第１の電子データの領域を拡大した第４の電子データを生成し、前記印刷手段を制御して前記第４の電子データの印刷を行うことを特徴とする。
【０００９】
この構成においては、記録媒体から取得した写真等の画像データ（第１の電子データ）と座標データ（第２の電子データ）とが合成された第３の電子データが記録用紙に印刷され、この記録用紙に記録された画像データ及び座標データから指定領域を構成する座標指定データの入力がユーザによって行われる。また、座標指定データから構成される指定領域に該当する第１の電子データの領域がトリミング印刷される。
【００１０】
したがって、大型の表示装置を用いて画像データ及び座標データを表示する必要がない。
【００１１】
（２）印刷を行う印刷手段と、
脱着自在な記録媒体から画像データを取得するデータ取得部と、
前記データ取得部より取り込まれた画像データである第１の電子データの画像の輪郭を抽出した第５の電子データを生成し、この第５の電子データと、記録用紙サイズに基づいた座標データを表示する第２の電子データと、を合成した第６の電子データを生成し、前記印刷手段を制御して印刷する制御部と、
通常印刷時に印刷枚数を表示する文字表示器又は印刷モードを表示するインジケータ、及び、入力キーを有するパネル部と、を備え、
前記制御部は、ユーザが前記パネル部の入力キーを介して入力した座標指定データを受信して前記文字表示器又はインジケータを用いて表示し、前記座標指定データ基づいて構成される指定領域に該当する前記第１の電子データの領域を拡大した第４の電子データを生成し、前記印刷手段を制御して第４の電子データを印刷することを特徴とする。
【００１２】
この構成においては、記録媒体から取得した写真等の画像データ（第１の電子データ）から抽出した輪郭のみの画像データ（第５の電子データ）と、座標データ（第２の電子データ）とが合成された第６の電子データが記録用紙に印刷され、この記録用紙に記録された輪郭のみの画像データ及び座標データから指定領域を構成する座標指定データの入力がユーザによって行われる。また、座標指定データに基づく指定領域に該当する第１の電子データの領域がトリミング印刷される。
【００１３】
したがって、ユーザが座標指定データを入力する際に必要な画像を印刷するのに、第１の電子データよりもデータ量の少ない第５の電子データが用いられる。
【発明の効果】
【００１４】
この発明によれば、以下の効果を奏することができる。
【００１５】
（１）第１の電子データに第２の電子データを合成した第３の電子データを印刷することによって、トリミングの範囲を指定できるので大型の表示装置に画像データを表示しなくても簡単な操作でトリミング印刷することができ、また大型の表示装置が必要なく、コストアップを抑制できる。
【００１６】
（２）第１の電子データよりもデータ量の少ない第５の電子データと第２の電子データとを合成した第６の電子データ印刷することによって、例えばインクジェット方式のプリンタではインクの使用量を低減することができ、ランニングコストを抑制できる。
【発明を実施するための最良の形態】
【００１７】
以下、この発明の最良の実施形態に係るプリンタを図面を参照しつつ詳細に説明する。図１は、本発明の実施形態に係るプリンタの概略の構成を示すブロック図である。図２は、本発明に係るプリンタの外観を示す斜視図である。
【００１８】
プリンタ１０は、印刷部１、搬送部２、制御部３、データ取得部４、パネル部５及びメモリ６等から構成されている。データ取得部４は、メモリカード等の記録媒体を着脱自在なカードスロット４ａと、記録媒体に記録された画像データを含む第１の電子データを読み出す図示しないリーダとを備えている。
【００１９】
印刷部１は、図示しないインクカートリッジを搭載した図示しないキャリッジ等から構成され、データ取得部４より読み込まれた画像データに基づいて記録用紙に画像を形成する。キャリッジは、図示しないＤＣモータによって主走査方向に移動自在であり、画像データに基づいて移動しつつインクを吐出する。搬送部２は、用紙供給トレイ６２に載置された用紙を印刷部１を経由して用紙排出口６１に搬送する。
【００２０】
制御部３は、図示しないＲＯＭ（Read Only Memory）及びＣＰＵ（Central Processing Unit）等から構成され、データ取得部４が取得した第１の電子データ及びパネル部５が受け付けた入力データ等に基づいて印刷の動作等のプリンタ全体の動作を制御する。ＲＯＭは制御用プログラム等が格納され、ＣＰＵは制御用プログラム等に従ってプリンタ全体の動作を制御する。
【００２１】
パネル部５は、ハウジング７の上面に備えられ、印刷モードの選択や画質モードの選択等の入力を受け付ける。メモリ６は、第１の電子データや第１の電子データ等から作成された電子データ等を一時的に保存する。
【００２２】
なお、本実施の形態ではインクジェット方式により印刷を行うが、レーザ方式や熱昇華型方式を用いることも可能である。また、本実施形態のプリンタ１０は、インデックス画像プリントモード、シールプリントモード、全画像プリントモード（オールプリントモード）、画像選択プリントモード、最新画像プリントモード及びトリミングプリントモードの６つの印刷モードを有する。
【００２３】
インデックス画像プリントモードは、記録用紙１枚に記録媒体に記録されている複数の画像データの縮小画像を印刷する。シールプリントモードは、専用のシールに対して記録媒体に記録されている複数の画像データの縮小画像を印刷する。全画像プリントモードは、記録媒体に記録されている複数の画像データの全てを印刷する。画像選択プリントモードは、あらかじめ指定情報の付加された特定の指定画像のみを印刷する。最新画像プリントモードは、記録媒体に記録されている複数の画像データの中で記録された時刻が最も新しい画像データを印刷する。トリミングプリントモードは、１の画像データの一部の領域を拡大して印刷する。
【００２４】
図３は、本発明に係るプリンタ１０の上面に備えられるパネル部５の平面図である。パネル部５は、印刷モード表示部５１、画質モード表示部５２、入力キー部５３、セグメントＬＣＤ（セグメント液晶ディスプレイ）５４、カード有無表示発光素子５６及びエラー表示発光素子５７等から構成される。
【００２５】
印刷モード表示部５１は、上述したインデックスプリントモード等の６つの印刷モードのそれぞれの実行状態を示す発光素子５１ａ〜５１ｆを備えている。画質モード表示部５２は、３つの画質（きれい、ふつう、はやい）モードのそれぞれの実行状態を示す発光素子５２ａ〜５２ｃを備えている。カード有無表示発光素子５６は、カードスロット４ａに記録媒体が読取可能に装着されているか否かを表示する。エラー表示発光素子５７は、紙詰まり等の装置の異常を表示する。
【００２６】
本発明の入力キーに相当する入力キー部５３は、カーソルキー５３１〜５３４、設定キー５３５、プリントキー５３６、停止キー５３７、電源キー５３８、印刷モードキー５８１及び画質モードキー５８２等から構成され、各キーを介してユーザからの入力を受け付ける。
【００２７】
カーソルキー５３１〜５３４は、印刷枚数の入力やカーソルキーの移動の入力を受け付け、また後述する座標指定データ等の入力の受け付けを行う。設定キー５３５は、入力を受け付けた内容の確定（決定）の入力を受け付ける。プリントキー５３６は、印刷開始の入力を受け付ける。停止キー５３７は、印刷実行や選択された入力のキャンセルを受け付ける。電源キー５３８は、プリンタ１０のＯＮ／ＯＦＦの入力を受け付ける。
【００２８】
印刷モードキー５８１は、印刷モードの選択の入力を受け付ける。なお、印刷モードの初期状態は、インデックス画像プリントモードの実行中を示す発光素子５１ａが点灯した状態となる。例えば、発光素子５１ａが点灯している初期状態から印刷モードキー５８１を押下すると、発光素子５１ａが消灯し、シールプリントモードの実行中を示す発光素子５１ｂが点灯する。
【００２９】
さらに、続けて印刷モードキー５８１を押下していくと、上述のように順にオールプリントモード、画像選択プリントモード、最新画像プリントモード及びトリミングプリントモードの実行中を示す発光素子５１ｃ〜５１ｆが順に点灯・消灯していき、各プリントモードの実行が切り換わる。最後のトリミングプリントモードの実行中を示す発光素子５１ｆが点灯した状態で印刷モードキー５８１を押下すると、発光素子５１ｆは消灯して発光素子５１ａが点灯する。
【００３０】
画質モードキー５８２は、画質モードの選択の入力を受け付ける。この発明の文字表示器であるセグメントＬＣＤ５４は、トリミングプリントモード実行時以外の通常印刷時に印刷枚数を表示する。また、トリミングプリントモード実行時は、座標指定データを表示する。なお、本実施形態のセグメントＬＣＤ５４は、４桁までの数値を表示可能である。通常印刷時のセグメントＬＣＤ５４の初期状態は、表示値として印刷枚数「０００１」が表示され、カーソル（アンダーバー）は一の位の桁位置に位置する。
【００３１】
セグメントＬＣＤ５４の表示値は、上カーソルキーであるカーソルキー５３４を一回押下すると、カーソルが点滅している桁位置の表示値が１カウントアップする。例えば、カーソルが位置するセグメントＬＣＤ５４の一の位の表示値が「１」であったとすると「２」に変化する。
【００３２】
また、下カーソルキーであるカーソルキー５３２を一回押下すると、１カウントダウンする。例えば、カーソルの位置するセグメントＬＣＤ５４の一の位の表示値が「２」であったとすると「１」に変化する。なお、セグメントＬＣＤ５４の表示値が「０００９」の状態からカーソルキー５３４を押下すると桁上がりして「００１０」となる。
【００３３】
一方、左側カーソルキーであるカーソルキー５３１及び右側カーソルキーであるカーソルキー５３３を一回押下すると、カーソルの位置が左右の隣の桁位置に移動する。ただし、一の位の桁位置より右方向、千の位の桁位置より左方向への移動は禁止されている。
【００３４】
図４は、記録媒体から読み出した画像データ（第１の電子データ）を示す模式図である。図５は、画像の座標を示す線座標データ（第２の電子データ）を示す模式図である。図６は、図４に示す第１の電子データと、図５に示す第２の電子データとを合成した第３の電子データを示す模式図である。図７は、トリミングプリントモード実行中におけるトリミング印刷を行う手順を示す流れ図である。
【００３５】
図７に示すように、印刷モードキー５８１を押下してトリミングプリントモードが実行されると、まず記録媒体がカードスロット４ａに読取可能に適切に装着されているか否かを判断し（Ｓ１）、装着されたと判断するまで待機する。記録媒体が装着されていなければ、また記録媒体が装着されていても記録されているデータを読み出すことができなければ、印刷を実行することができないからである。
【００３６】
Ｓ１において、適切に記録媒体が装着されたと判断した場合は、プリントキー５３６が押下されたか否かを判断し（Ｓ２）、押下されたと判断するまで待機する。Ｓ２において、プリントキー５３６が押下されたと判断した場合、記録媒体から読み出した第１の電子データと、あらかじめＲＯＭに格納されている図５に示す第２の電子データとを合成して第３の電子データを作成し（Ｓ３）、この第３の電子データを印刷する（Ｓ４）。
【００３７】
例えば、記録媒体に記録された図４に示す第１の電子データと、図５に示す線座標データとから図６に示す第３の電子データを合成し、この第３の電子データを印刷する。
【００３８】
なお、記録媒体に記録されている第１の電子データの読み出しは、基本的に任意である。本実施形態では、ユーザによってあらかじめ画像データに付加された情報から特定されるトリミングプリント用の画像データを読み出す。
【００３９】
次に、座標指定データの１つである領域左側座標の入力を受け付けたか否かを判断し（Ｓ５）、入力を受け付けたと判断するまで待機する。Ｓ５において、領域左側座標の入力を受け付けたと判断した場合は、座標指定データの１つである領域右側座標の入力を受け付けたか否かを判断し（Ｓ６）、入力を受け付けたと判断するまで待機する。
【００４０】
Ｓ６において、領域右側座標の入力を受け付けたと判断した場合は、座標指定データの１つである領域上側座標の入力を受け付けたか否かを判断し（Ｓ７）、入力を受け付けたと判断するまで待機する。Ｓ７において、領域上側座標の入力を受け付けたと判断した場合は、座標指定データの１つである領域下側座標の入力を受け付けたか否かを判断し（Ｓ８）、入力を受け付けたと判断するまで待機する。
【００４１】
Ｓ５〜Ｓ８の処理において受け付けた４つの座標指定データに基づいて構成される指定領域に該当する第１の電子データの一部の領域を切り出して拡大した画像データ（第４の電子データ）を形成して（Ｓ９）画像形成を行い（Ｓ１０）、処理を終了する。
【００４２】
図６に示す第３の電子データを印刷した座標指定データの入力待ち状態において、例えば、ユーザが図６に示す斜線を引いた領域についてトリミング印刷を行う場合、まず領域左側座標「１」を入力するためにカーソルキー５３４を１回押下する。この時、セグメントＬＣＤ５４の一の位の表示値は、「０」から「１」に変化する。なお、本実施形態のセグメントＬＣＤ５４の初期状態は、表示値が「００００」であり、カーソルは一の位の桁位置にある。次に、設定キー５３３を押下して領域左側座標を決定する。この時、セグメントＬＣＤ５４の表示値が「０００１」から「００００」に戻る。つまり、領域左側座標の決定の入力が受け付けられ、次の領域右側座標の入力待ち状態（初期状態）となったことを示している。
【００４３】
次に、領域右側座標「３」を上述と同様の手順で入力し、さらに領域上側座標「１」及び領域下側座標「３」を順に入力する。これにより、これら４つの線座標指定データから構成される図６に示す斜線を引いた領域（指定領域）の第４の電子データがトリミング印刷される。
【００４４】
以上のように、本発明のプリンタにおいて、第１の電子データに第２の電子データを合成した第３の電子データを印刷することによって、トリミングの範囲を指定できるので大型の表示装置に画像データを表示しなくても簡単な操作でトリミング印刷することができ、また大型の表示装置が必要なく、コストアップを抑制できる。
【００４５】
なお、本実施形態に係るプリンタでは、図５に示すような線座標データを第２の電子データとして座標指定データの入力を受け付けているが、特にこれに限定されるものではない。例えば、図８に示すようなブロック領域の位置を示すブロック座標を用いて第１の電子データのトリミング印刷を行ってもよい。図４に示す第１の電子データと図８に示す第２の電子データとを合成した図９に示す第３の電子データの斜線を引いた領域を指定する場合、上述と同様の手順でカーソルキー５３１〜５３４及び設定キー５３５を用いて領域左側座標「１」の入力を行う。次に、領域右側座標「２」、領域上側座標「１」、領域下側座標「２」を上述と同様の手順で順に入力する。
【００４６】
本実施形態では、１つの第１の電子データを縦４×横３の領域に分けているが特にこれに限定されるものではない。また、本実施形態では縦、横に線又はブロックの座標を設定しているが、ブロック領域毎に固有の座標値を与え、この座標値に基づいて座標指定データの入力を受け付けてもよい。
【００４７】
なお、印刷モード表示部５１、画質モード表示部５２、及びセグメントＬＣＤ５４等の発光素子等の表示は、入力キー部５３が受け付けた入力に基づいて制御部３によって制御されている。
【００４８】
（第２実施形態）
本実施形態は、第１実施形態と略同様の構成であるが、トリミングプリントモードにおいて、第１の電子データから抽出された輪郭の画像データ（第５の電子データ）と、第２の電子データとを合成した画像データ（第６の電子データ）が印刷され、この印刷された画像に基づいて座標指定データが入力される。
【００４９】
図１０は、本実施形態に係るトリミングプリントモード実行中におけるトリミング印刷を行う手順を示す流れ図である。本実施形態は、Ｓ１１，Ｓ１２及びＳ１６〜Ｓ２１までの処理は、第１実施形態のＳ１，Ｓ２及びＳ５〜１０の処理と同様であるので、Ｓ１３〜Ｓ１５の処理について詳細に説明する。
【００５０】
トリミングプリントモードが実行され、Ｓ１１において記録媒体が装着されたと判断し、Ｓ１２においてプリントキー５３６が押下されたと判断した後、記録媒体から読み出した第１の電子データから輪郭の画像データを抽出して第５の電子データを作成する（Ｓ１３）。輪郭の画像データの抽出は、公知の手法を用いて行う。次に、第５の電子データと、第２の電子データとを合成して第６の電子データを作成し（Ｓ１４）、この第６の電子データに基づいて印刷する（Ｓ１５）。
【００５１】
例えば、図４に示す第１の電子データの輪郭の画像データを抽出すると、図１１に示す第５の電子データが得られる。この第５の電子データと、図５に示す第２の電子データとを合成した図１２に示す第６の電子データに基づいて印刷が行われる。
【００５２】
その後、Ｓ１６〜Ｓ１９において座標指定データの入力が受け付けられたと判断した場合、座標指定データから構成される領域指定に基づく第４の電子データを作成し（Ｓ２０）て印刷を行って（Ｓ２１）、処理を終了する。
【００５３】
以上のように、本発明のプリンタおいて、印刷すべきユーザが座標指定データを入力する際に必要な画像に、第１の電子データよりもデータ量の少ない第６の電子データを用いることによって、本実施形態のようなインクジェット方式のプリンタ１０ではインクの使用量を低減することができ、ランニングコストを抑制できる。
【００５４】
（第３実施形態）
本実施形態は、第１実施形態と略同様の構成であるが、図１３に示すようにセグメントＬＣＤを備えておらず、またカーソルキーの個数も２つ少ない。
【００５５】
また、トリミングプリントモードにおいては、座標指定データを入力するために用いる画像データを表示するための手段として、この発明のインジケータである発光素子５１ａ〜５１ｆを用いて行う。具体的には、図１４に示すように、印刷モード表示部５１の発光素子５１ａ〜５１ｆの点灯パターン８１〜８７を線座標の値として用いる。
【００５６】
例えば、図４に示す第１の電子データの一部をトリミング印刷する場合、第１の電子データと、図１４に示す第２の電子データとを合成した図１５に示す第３の電子データが印刷される。次に、カーソルキー５３１，５３３を用いて、この印刷された画像に基づいて座標指定データの入力を行う。なお、この時の発光素子５１ａ〜５１ｆの初期状態は点灯パターン８０に示す点灯状態である。
【００５７】
ここで、領域左側座標及び領域右側座標を入力する際においては、カーソルキー５３３を押下する毎に発光素子５１ａ〜５１ｂが、初期状態の点灯パター８０から点灯パターン８１〜８３に示す点灯状態に順に変化して再び点灯パターン８０の点灯状態に戻る。また、カーソルキー５３１を押下する毎に発光素子５１ａ〜５１ｆは、例えば点灯パターン８３の点灯状態であった場合、点灯パターン８２，８１，８０に示す点灯状態に順に変化して再び点灯パターン８３の点灯状態に戻る。
【００５８】
また、領域上側座標及び領域下側座標を入力する際においては、この状態においてカーソルキー５３３を押下する毎に発光素子５１ａ〜５１ｆが、初期状態の点灯パターン８０から点灯パターン８４〜８７に示せす点状態に順に変化して再び点灯パターン８０の点灯状態に戻る。また、カーソルキー５３１を押下する毎に発光素子５１ａ〜５１ｆは、例えば点灯パターン８７であった場合、点灯パターン８６，８５，８４，８０に示す点灯状態に変化して再び点灯パターン８７の点灯状態に戻る。
【００５９】
したがって、図１４に示す斜線を引いた領域について座標指定データを入力する場合、
領域左側座標として点灯パターン８１となるように、カーソルキー５３３を１回押下する。次に、設定キー５３５を押下して領域左側座標を決定する。その後、再び発光素子５１ａ〜５１ｆは点灯パターン８０の点灯状態となるので、領域右側座標として点灯パターン８３となるように、カーソルキー５３３を３回押下する。その後、同様に設定キー５３５を押下して領域右側座標を決定する。
【００６０】
次に、領域上側座標の点灯パターン８４となるようにカーソルキー５３３を１回押下し、設定キー５３５を押下して領域上側座標を決定する。さらに、領域下側座標の点灯パターン８６となるようにカーソルキー５３３を３回押下し、設定キー５３５を押下して領域下側座標を決定する。
【００６１】
その後、第１実施形態と同様に、これら４つの線座標指定データから構成される図１５に示す斜線を引いた領域の第４の電子データに基づいてトリミング印刷される。
【００６２】
これによって、セグメントＬＣＤが備えられていない低価格なプリンタであっても第１実施形態と同様の効果を得ることができる。
【００６３】
なお、本実施形態においても、図１４に示す線座標データを第２の電子データとして座標指定データの入力を受け付けているが、特にこれに限定されるものではない。例えば、図１６に示すようなブロック領域の位置を示すブロック座標を用いても同様の効果を得ることができる。この場合も、カーソルキー５３１，５３３を用いて発光素子５１ａ〜５１ｆの点灯状態を、ブロック座標を示す点灯パターン８０〜８２及び８４〜８６に合わせて入力を行う。
【００６４】
（第４実施形態）
本実施形態は、第３実施形態と略同様の構成であるが、トリミングプリントモードにおいて、第２実施形態と同様に第１の電子データから輪郭の画像データである第５の電子データを抽出し、第２の電子データと合成した第６の電子データを印刷し、この印刷した画像に基づいて座標指定データの入力が受け付けられる。
【００６５】
例えば、図４に示す第１の電子データから抽出した図１１に示す第５の電子データと、図１４に示す第２の電子データとを合成した図１７に示す第６の電子データを印刷する。この印刷された画像に基づいて、第３実施形態と同様にカーソルキー５３１，５３３を用いて４つの座標指定データを入力する。
【００６６】
これによって、セグメントＬＣＤが備えられていない低価格なプリンタであっても第２実施形態と同様の効果を得ることができる。
【００６７】
なお、第２の電子データは第２実施形態と同様に線座標データに限られず、ブロック座標データを用いてもよい。
【図面の簡単な説明】
【００６８】
【図１】本発明の実施形態に係るプリンタの概略の構成を示すブロック図である。
【図２】同プリンタの外観を示す斜視図である
【図３】同プリンタに備えられるパネル部を示す平面図である。
【図４】記録媒体から読み出した画像データ（第１の電子データ）を示す模式図である。
【図５】画像の座標を示す線座標データ（第２の電子データ）を示す模式図である。
【図６】図４に示す第１の電子データと、図５に示す第２の電子データとを合成した第３の電子データを示す模式図である。
【図７】本発明の実施形態に係るプリンタのトリミングプリントモード実行中におけるトリミング印刷を行う手順を示す流れ図である。
【図８】画像の座標を示すブロック座標データ（第２の電子データ）を示す模式図である。
【図９】図４に示す第１の電子データと、図８に示す第２の電子データとを合成した第３の電子データを示す模式図である。
【図１０】本発明の実施形態に係るプリンタのトリミングプリントモード実行中におけるトリミング印刷を行う手順を示す流れ図である。
【図１１】図４に示す第１の電子データから抽出した輪郭の画像データ（第５の電子データを示す模式図である。
【図１２】図１１に示す第５の電子データと、図５に示す第２の電子データとを合成した第６の電子データを示す模式図である。
【図１３】本発明の実施形態に係るプリンタに備えられるパネル部を示す平面図である。
【図１４】画像の座標を示す線座標データ（第２の電子データ）を示す模式図である。
【図１５】図４に示す第１の電子データと、図１４に示す第２の電子データとを合成した第３の電子データを示す模式図である。
【図１６】図４に示す第１の電子データと、画像の座標を示すブロック座標データ（第２の電子データ）とを合成した第３の電子データを示す模式図である。
【図１７】図１１に示す第５の電子データと、図１４に示す第２の電子データとを合成した第６の電子データを示すブロック図である。
【符号の説明】
【００６９】
１−印刷部
２−搬送部
３−制御部
４−データ取得部
５−パネル部
７−ハウジング
５１−印刷モード表示部
５１ａ〜５１ｆ−発光素子
５３−入力キー部
５４−セグメントＬＣＤ
５３１〜５３４−カーソルキー
５３５−設定キー
【図１】
2006062321.tif 000003
【図２】
2006062321.tif 000004
【図３】
2006062321.tif 000005
【図４】
2006062321.tif 000006
【図５】
2006062321.tif 000007
【図６】
2006062321.tif 000008
【図７】
2006062321.tif 000009
【図８】
2006062321.tif 000010
【図９】
2006062321.tif 000011
【図１０】
2006062321.tif 000012
【図１１】
2006062321.tif 000013
【図１２】
2006062321.tif 000014
【図１３】
2006062321.tif 000015
【図１４】
2006062321.tif 000016
【図１５】
2006062321.tif 000017
【図１６】
2006062321.tif 000018
【図１７】
2006062321.tif 000019